(57)【要約】  浄水装置の運転方法において、膜洗浄運転は、第１膜濾過手段７の一次側の原水を排水流路９を介して抜液する工程と、第１膜濾過手段７の一次側の内部を大気開放した状態で、主原水供給流路２から第２膜濾過手段８の一次側にのみ原水を供給して得られた浄水を第１膜濾過手段７の二次側から供給して一次側の内部を逆洗済水で満たす排気逆通水を行う工程と、主原水供給流路２から第２膜濾過手段８の一次側にのみ原水を供給して得られた浄水を第１膜濾過手段７の二次側から供給して一次側の内部の逆洗済水を排水流路９から排出する逆通水を行う工程とを含む。
2009008386.tif 000002
【特許請求の範囲】
【請求項１】
主原水供給流路に原水を膜濾過する第１膜濾過手段と第２膜濾過手段とを接続し、これら第１膜濾過手段の二次側と第２膜濾過手段の二次側とを合流させて主浄水流路に接続し、前記主原水供給流路の第１膜濾過手段の一次側に排水流路を接続し、第１膜濾過手段の一次側の内部を大気開放可能に構成し、通常運転と膜洗浄運転とがそれぞれ実行可能な浄水装置の運転方法であって、
膜洗浄運転は、第１膜濾過手段の一次側の原水を排水流路を介して抜液する工程と、
第１膜濾過手段の一次側の内部を大気開放した状態で、主原水供給流路から第２膜濾過手段の一次側にのみ原水を供給して濾過することにより得られた浄水を第１膜濾過手段の二次側から供給して一次側の内部を逆洗済水で満たす排気逆通水を行う工程と、
主原水供給流路から第２膜濾過手段の一次側にのみ原水を供給して得られた浄水を第１膜濾過手段の二次側から供給して一次側の内部の逆洗済水を排水流路から排出する逆通水を行う工程と、を含むことを特徴とする浄水装置の運転方法。
【請求項２】
前記第１膜濾過手段は中空糸膜であり、該中空糸膜を構成する中空糸の外側が一次側、前記中空糸の内側が二次側に設定されている請求項１に記載の浄水装置の運転方法。
【請求項３】
前記通常運転時の前記主原水供給流路の圧力と、前記通常運転時の主浄水通路の圧力と、前記通常運転時の主原水供給流路の積算流量と、前記通常運転時の主浄水通路の積算流量と、前記通常運転の累積時間とのうち少なくともいずれか一つに基づき前記膜洗浄運転の開始を判定する請求項１に記載の浄水装置の運転方法。
【請求項４】
前記通常運転時の前記主原水供給流路の圧力と、前記通常運転時の主浄水通路の圧力と、前記通常運転時の主原水供給流路の積算流量と、前記通常運転時の主浄水通路の積算流量と、前記通常運転の累積時間とのうち少なくともいずれか一つに基づき所定の回数だけ前記膜洗浄運転を行う請求項１記載の浄水装置の運転方法。
【請求項５】
前記所定の回数が、少なくとも２回以上であって、かつ、これらの膜洗浄運転が、通常運転をはさむことなく連続して行われる請求項４に記載の浄水装置の運転方法。
【請求項６】
前記通常運転が、主原水供給流路から第１膜濾過手段の一次側にのみ原水を供給してこの原水を濾過し、第１膜濾過手段の二次側から主浄水流路を介して浄水を排出させる工程を含む請求項１に記載の浄水装置の運転方法。
【発明の詳細な説明】
【技術分野】
【０００１】
本発明は、浄水装置の運転方法に関する。
本願は、２００７年７月６日に日本国特許庁に出願された特願２００７−１７８８４７号に基づき優先権を主張し、その内容をここに援用する。
【背景技術】
【０００２】
従来から、上水道など配管の途中に介装して膜濾過を行う浄水装置が知られている。この種の浄水装置では目詰まり等の膜のファウリングが進行する度に膜の交換が必要となる。特に、水環境が良好でない地域では膜の交換頻度が高くなるため、環境への負荷や作業上及び経済上の負担等が大きくなっていた。膜の寿命を延ばすために、２つの濾過ユニットを並列接続し、一方の濾過ユニットから吐出された浄水を他方の濾過ユニットの膜の二次側から一次側に向けて逆通水する、いわゆる逆洗を行い、膜の一次側に付着した閉塞物質を剥離洗浄するようにした浄水装置があった（例えば、特許文献１参照）。【０００３】
しかしながら、上述のような浄水装置では、逆洗によって膜の一次側に付着した閉塞物質の一部が剥離した時点で、この部分に逆洗による通水が集中してしまうため、他の部分の閉塞物質が十分に剥離できないという問題があった。
【特許文献１】特開平１１−１３７９７６号公報
【発明の開示】
【発明が解決しようとする課題】
【０００４】
本発明は、膜表面の閉塞物質を十分に剥離除去して膜の負担を軽減することができる浄水装置の運転方法を提供することを課題とする。
【課題を解決するための手段】
【０００５】
本発明は、主原水供給流路に原水を膜濾過する第１膜濾過手段と第２膜濾過手段とを接続し、これら第１膜濾過手段の二次側と第２膜濾過手段の二次側とを合流させて主浄水流路に接続し、前記主原水供給流路の第１膜濾過手段の一次側に排水流路を接続し、第１膜濾過手段の一次側の内部を大気開放可能に構成し、通常運転と膜洗浄運転とがそれぞれ実行可能な浄水装置の運転方法であって、膜洗浄運転は、第１膜濾過手段の一次側の原水を排水流路を介して抜液する工程と、第１膜濾過手段の一次側の内部を大気開放した状態で、主原水供給流路から第２膜濾過手段の一次側にのみ原水を供給して濾過することにより得られた浄水を第１膜濾過手段の二次側から供給して一次側の内部を逆洗済水で満たす排気逆通水を行う工程と、主原水供給流路から第２膜濾過手段の一次側にのみ原水を供給して得られた浄水を第１膜濾過手段の二次側から供給して一次側の内部の逆洗済水を排水流路から排出する逆通水を行う工程とを含むことを特徴とする。【０００６】
前記第１膜濾過手段は中空糸膜であり、該中空糸膜を構成する中空糸の外側が一次側、前記中空糸の内側が二次側に設定されていてもよい。【０００７】
前記通常運転時の前記主原水供給流路の圧力と、前記通常運転時の主浄水通路の圧力と、前記通常運転時の主原水供給流路の積算流量と、前記通常運転時の主浄水通路の積算流量と、前記通常運転の累積時間とのうち少なくともいずれか一つに基づき前記膜洗浄運転の開始を判定してもよい。【０００８】
前記通常運転時の前記主原水供給流路の圧力と、前記通常運転時の主浄水通路の圧力と、前記通常運転時の主原水供給流路の積算流量と、前記通常運転時の主浄水通路の積算流量と、前記通常運転の累積時間とのうち少なくともいずれか一つに基づき所定の回数だけ前記膜洗浄運転を行ってもよい。【０００９】
前記所定の回数が、少なくとも２回以上であって、かつ、これらの膜洗浄運転が、通常運転をはさむことなく連続して行われてもよい。【００１０】
前記通常運転は、主原水供給流路から第１膜濾過手段の一次側にのみ原水を供給してこの原水を濾過し、第１膜濾過手段の二次側から主浄水流路を介して浄水を排出させる工程を含んでもよい。
【発明の効果】
【００１１】
本発明の浄水装置の運転方法によれば、膜洗浄運転時に、第２膜濾過手段から吐出された浄水を第１膜濾過手段の二次側から一次側に逆通水する前に、抜液と排気逆通水とを行うことで、第１膜濾過手段の膜の二次側が浄水、一次側が大気となる状態で逆通水を行うことが可能となるため、膜の全域で二次側と一次側との膜間差圧を大きくすることができ、したがって、逆通水による水の流れが中空糸膜の一部に集中するのを防止して膜の一次側に付着している閉塞物質を効率よく剥離除去することができる効果がある。【００１２】
また、例えば、中空糸の内側が膜の一次側に設定されている場合には、逆通水によって一度剥離した物質が再度中空糸の内面に接触して付着する可能性が高くなるが、中空糸の外面を一次側に設定することで、剥離した閉塞物質が中空糸から速やかに離れるため、再度閉塞物質が中空糸に付着するのを防止することができる。【００１３】
通常運転時の主原水供給流路の圧力と、通常運転時の主浄水通路の圧力と、通常運転時の主原水供給流路の積算流量と、通常運転時の主浄水通路の積算流量と、通常運転の累積時間とのうち少なくともいずれか一つに基づいて膜の閉塞状態を推定することができるため、膜の閉塞状態に対応した適切なタイミングで膜洗浄運転を開始することができる効果がある。また、膜の閉塞の程度を推定することができるため、この閉塞の程度に応じて膜洗浄運転の回数を変化させることができる。したがって、例えば、膜の閉塞が進んでいるときほど洗浄回数を増加させることができるため、より確実に閉塞物質の除去を行うことができる効果がある。【００１４】
膜洗浄運転の回数が複数回に亘る場合、連続的に膜洗浄運転を行う場合、通常運転と膜洗浄運転とを交互に行う場合と比較して、閉塞物質が除去されるまでの時間を短縮することができる効果がある。【００１５】
前記通常運転が第１膜濾過手段の一次側にのみ原水を供給して二次側から主浄水流路を介して浄水を排出させる工程を有するので、一次側の閉塞物質を効率よく除去することができる効果がある。
【図面の簡単な説明】
【００１６】
【図１】本発明の実施の形態における浄水装置の概略構成図である。
【図２】本発明の実施の形態におけるろ過モード時の図１に相当する概略構成図である。
【図３】本発明の実施の形態における抜液モード時の図１に相当する概略構成図である。
【図４】本発明の実施の形態における排気逆通水モード時の図１に相当する概略構成図である。
【図５】本発明の実施の形態における逆通水モード時の図１に相当する概略構成図である。
【符号の説明】
【００１７】
２  主原水供給流路
７  第１膜濾過手段
８  第２膜濾過手段
９  排水流路
１１  中空糸膜
１９  主浄水流路
【発明を実施するための最良の形態】
【００１８】
以下、図１から図５を参照しながら本発明の実施形態の一例を説明する。
図１は、原水を濾過するための浄水装置１である。利用する地域に応じて河川水、湖沼水、井戸水、工業用水等が水道を通じて原水として供給される。浄水装置１の主原水供給流路２には水道水圧を増圧するためのポンプ３と、このポンプ３の下流にポンプ３から出力される水圧を安定させるための減圧弁４とが介装されている。なお、増圧するポンプ３は必ずしも稼動している必要はなく、また、原水の流入圧力が高い場合にはポンプ３を設けなくてもよい。【００１９】
主原水供給流路２には第１原水供給流路５および第２原水供給流路６が分岐接続されている。第１原水供給流路５には第１膜濾過手段７が接続され、第２原水供給流路６には第２膜濾過手段８が接続されている。第１原水供給流路５の分岐点と第２原水供給流路６の分岐点との間の主原水供給流路２には第１制御弁Ｖ１が介装され、この第１制御弁Ｖ１を開閉制御することにより第１原水供給流路５への原水の供給及び停止が切換可能となっている。主原水供給流路２は、図示しない排水口に連通する排水流路９に接続されており、第１原水供給流路５の分岐点よりも排水流路９側に第２制御弁Ｖ２が介装されている。【００２０】
第１膜濾過手段７は、両端が閉塞された筒状のケース１０を備え、このケース１０内に中空糸の束からなる中空糸膜１１を収容している。この中空糸膜１１は、ケース１０の上部に配置されているポッティング材１２によって一次側である原水側と二次側である浄水側とが遮断されている。ポッティング剤１２は、ウレタン樹脂、エポキシ樹脂、ポリオレフィン樹脂等からなる。【００２１】
ケース１０は、一次側である下部に入口ポート１３を備えるとともに二次側である上部に出口ポート１４とを備え、さらに、ケース１０の側壁１５の上記ポッティング材１２よりも下方の位置に給排気ポート１６を備えている。入口ポート１３には、前述した第１原水供給流路５が接続されている。ここで、中空糸膜１１の内側面はポッティング材１２よりも出口ポート１４側に配置され、中空糸膜１１の外側面はポッティング材１２よりも入口ポート１３および給排気ポート１６側に配置されている。【００２２】
給排気ポート１６は、ケース１０内の中空糸膜１１の一次側に残留した原水を、第１原水供給流路５、主原水供給流路２および排水流路９を介して浄水装置１の系外に排出する際に、ケース１０内に大気などの気体を取り込むとともに、中空糸膜１１の一次側のケース１０内を後述する逆洗済水で満たす際にケース１０内の気体を排出するためのものである。この給排気ポート１６には、給排気流路１７が接続され、この給排気流路１７の端部が大気に開放されている。逆洗済水とは、逆通水により中空糸膜１１の一次側を洗浄した後に流路に排出された水を指す。【００２３】
給排気流路１７には、給排気流路１７の開閉を行う第３制御弁Ｖ３が介装されている。また、給排気流路１７には、第３制御弁Ｖ３よりも開放端側にドレン１７ａが分岐接続されている。ドレン１７ａは、第１膜濾過手段７の一次側のケース１０内を逆洗済水で満たすときに、給排気ポート１６からオーバーフローした逆洗済水を排水流路９に送る。【００２４】
第１膜濾過手段７の出口ポート１４には、第１合流流路１８が接続され、この第１合流流路１８が原水を処理した処理水（浄水）を送給する主浄水流路１９に合流接続されている。【００２５】
一方、第２膜濾過手段８は、上記第１膜濾過手段７と同様に、入口ポート２０と出口ポート２１とをそれぞれ備えたケース２２と、ウレタン樹脂、エポキシ樹脂、ポリオレフィン樹脂等からなるポッティング材２３と、ポッティング材２３によって浄水側と原水側とが遮断された中空糸膜２４とを備えている。図１において、第２膜濾過手段８は、第１膜濾過手段７の膜の洗浄時にのみ利用されるものであるため、第１膜濾過手段７よりも小型のものを用いているが、第１膜濾過手段７と同一のものを用いてもよい。【００２６】
第２膜濾過手段８の出口ポート２１には、第１膜濾過手段７の出口ポート１４と同様に、第２合流流路２５が接続され、この第２合流流路２５が、第１合流流路１８と主浄水流路１９との合流点で主浄水流路１９に合流接続されている。つまり、上述した第１膜濾過手段７と第２膜濾過手段８とは主原水供給流路２と主浄水流路１９との間に並列に接続されている。第２合流流路２５には、この第２合流流路２５の開閉を行う第４制御弁Ｖ４が介装されている。【００２７】
主浄水流路１９は、原水を処理した処理水（浄水）を浄水装置１の系外に送り出すための流路であり、この主浄水流路１９の途中には、処理水の逆流を防止する逆止弁２６が介装され、さらに、この逆止弁２６の下流側の主浄水流路１９には、主浄水流路１９の開閉を行う第５制御弁Ｖ５が設けられている。【００２８】
上述した第１〜第５制御弁Ｖ１〜Ｖ５は、これら第１〜第５制御弁Ｖ１〜Ｖ５の開閉制御を行う制御部２７に接続されている。また、制御部２７には、主原水供給流路２の圧力を測定する圧力計ｓ１と主浄水流路１９の圧力を測定する圧力計ｓ２とが接続されている。【００２９】
制御部２７は、例えば、第１膜濾過手段７に原水を通水してろ過しているときに、圧力計ｓ１で測定される主原水供給流路２の圧力を、予め設定された膜洗浄運転の開始を判定するための所定の圧力と比較して、第１膜濾過手段７の膜におけるファウリングの程度を判定するようになっている。【００３０】
そして、制御部２７は、主原水供給流路２の圧力が膜洗浄運転の開始を判定する所定の圧力よりも高くなったとき、第１膜濾過手段７の中空糸膜１１に閉塞物質が堆積するいわゆるファウリングが進行していると判断し、中空糸膜１１を洗浄するための膜洗浄運転を開始する。そして、制御部２７は、膜洗浄運転を開始するために、第１〜第５制御弁Ｖ１〜Ｖ５の開閉状態を適宜切り換える。【００３１】
また、制御部２７は、圧力計ｓ１で測定された圧力の程度、すなわちファウリングの程度に応じて、膜洗浄運転を連続実施する回数（以下、単に膜洗浄運転の実施回数という）が増減可能に設定されている。ここで、上記圧力の程度に応じた膜洗浄運転の実施回数は、例えば、圧力と膜洗浄運転の実施回数とのマップ（図示せず）を予め制御部２７に記憶させておき、マップを参照することで決定することができる。なお、上記圧力計ｓ１の場合と同様に、流量計を設けて主原水供給流路２又は主浄水流路１９の積算流量に基づいて、膜洗浄運転の開始判定や膜洗浄運転の実施回数を決定することができ、さらに、積算流量、圧力以外に、通常運転のろ過モード（後述する）の累積時間を計測すれば、当該累積時間に基づいて膜洗浄運転の開始判定や膜洗浄運転の実施回数の決定を行うことができる。なお、上記連続実施する回数は０回、すなわち、連続実施を行わない場合も含む。【００３２】
制御部２７において制御される通常運転時の運転状態および、中空糸膜１１の膜洗浄運転を構成する運転状態（以下、モードと呼ぶ）毎の第１〜第５制御弁Ｖ１〜Ｖ５の開閉制御の一例を以下の表に示す。【００３３】
【表１】
2009008386.tif 000003
【００３４】
中空糸膜１１を閉塞する閉塞物質としては、配水池から浄水装置１に到達した鉄錆等の浮遊物質、原水中の微生物からの代謝物である多糖類などがある。ここで、第１〜第５制御弁Ｖ１〜Ｖ５は、開閉信号により自動で開閉できるものであり、電動弁、電磁弁、空気作動弁等が用いられる。特に経済的観点から、電磁弁を用いることが望ましい。【００３５】
次に、図２〜図５を参照しながら、制御部２７によって制御される各種モードにおける作用を説明する。なお、図１〜４において、第１〜第５制御弁Ｖ１〜Ｖ５は、閉塞状態を黒塗り、開放状態を白抜きで示している。【００３６】
図２は、制御部２７によって制御される通常運転時のろ過モードにおける浄水装置１の制御状態を示している。このろ過モードはユーザが処理水を利用するときのモードである。まず、制御部２７は、ユーザが水道水栓を開栓して処理水の利用が開始されると、全閉の状態で待機状態している第１〜第５制御弁Ｖ１〜Ｖ５（図１参照）のうち、第１制御弁Ｖ１と第５制御弁Ｖ５とを開放状態に制御する。このとき、第２制御弁Ｖ２、第３制御弁Ｖ３および第４制御弁Ｖ４は閉塞状態で維持される。なお、待機時に第１〜第５制御弁Ｖ１〜Ｖ５を全閉に維持せずにろ過モードの制御状態で待機させるようにしてもよい。【００３７】
ろ過モードでは、浄水装置１に流入した原水が、ポンプ３と減圧弁４との少なくともいずれか一方で圧力の調整が行われた後、主原水供給流路２から第１原水供給流路５を介して第１膜濾過手段７の入口ポート１３に流入してケース１０内に入り、中空糸膜１１の一次側から二次側に向かって通水されて濾過が行われる。濾過された原水は処理水（浄水）として、第１膜濾過手段７の出口ポート１４から第１合流流路１８と主浄水流路１９とを介して外部に送り出される。【００３８】
図３〜図５は、制御部２７の制御指令に基づいて行う膜洗浄運転の各モードにおける浄水装置１の制御状態をそれぞれ示したものである。この膜洗浄運転の各モードは、ユーザにより浄水が利用される可能性が低い時間帯に行うのが望ましい。なお、膜洗浄運転の開始は、浄水装置１における通常運転であるろ過モードの累積時間（例えば、６０分程度）、予め設定されたろ過モードの完了時間、浄水が利用されていない時間帯、或いは第１膜濾過手段７の中空糸膜１１のファウリングが進行して主原水供給流路２や主浄水流路１９での流量や圧力の低下が検出された場合等の条件の中から選択可能に構成されるのが好ましい。【００３９】
図３は、膜洗浄運転の各モードのうち最初に行われる抜液モードにおける浄水装置１の制御状態を示している。この抜液モードでは、第２制御弁Ｖ２および第３制御弁Ｖ３を開放し、第１制御弁Ｖ１、第４制御弁Ｖ４および第５制御弁Ｖ５を閉塞した状態を所定時間（例えば、１５秒程度）維持する。したがって、抜液モードを開始すると、給排気ポート１６から外気が導入され、第１膜濾過手段７の中空糸膜１１の一次側に残留している下原水が自重により原水供給流路５および主原水供給流路２を介して系外に排出されることとなる。下原水とは、第１膜濾過手段７の鉛直下側に残留している原水を指す。【００４０】
図４は、抜液モードの後に実行される排気逆通水モードにおける浄水装置１の制御状態を示している。この排気逆通水モードでは、第３制御弁Ｖ３および第４制御弁Ｖ４を開放し、第１制御弁Ｖ１、第２制御弁Ｖ２および第５制御弁Ｖ５を閉塞した状態を所定時間（例えば、１５秒程度）維持する。したがって、排気逆通水モードを開始すると、浄水装置１に流入した原水は、ポンプ３と減圧弁４との少なくともいずれか一方で圧力の調整が行われた後、主原水供給流路２と第２原水供給流路６とを介して入口ポート２０から第２膜濾過手段８内に流入して中空糸膜２４で濾過される。【００４１】
そして、第２膜濾過手段８で濾過された浄水は出口ポート２１から送り出され、第２合流流路２５と第１合流流路１８とを介して出口ポート１４から第１膜濾過手段７に流入する。その後、この第１膜濾過手段７に流入した浄水は、中空糸膜１１の二次側から気体で満たされた一次側に向かって逆通水される。この逆通水された逆洗済水は第２制御弁Ｖ２が閉塞されているので第１膜濾過手段のケース１０内に留まり、その水位が徐々に上昇する。この水位の上昇に伴って、給排気ポート１６を介してケース１０内の気体が給排気流路１７を介して排出されることとなる。ここで、ケース１０内の気体を、可能な限り排出させるために、ケース１０内の逆洗済水が給排気ポート１６から排出されてドレン１７ａを介して排水流路９に流下する。なお、中空糸膜１１の１次側のケース１０内に満たされた逆洗済水には、中空糸膜１１の表面から剥離した閉塞物質が含まれている。【００４２】
図５は、排気逆通水モードの後に実行される逆通水モードにおける浄水装置１の制御状態を示している。この逆通水モードでは、第２制御弁Ｖ２および第４制御弁Ｖ４を開放し、第１制御弁Ｖ１、第３制御弁Ｖ３および第５制御弁Ｖ５を閉塞した状態を所定時間（例えば、４５秒程度）維持する。したがって、逆通水モードを開始すると、浄水装置１に流入した原水は、ポンプ３により加圧されて減圧弁４で水圧の調整が行われた後、主原水供給流路２と第２原水供給流路６とを介して入口ポート２０から第２膜濾過手段８内に流入し、中空糸膜２４で濾過される。【００４３】
そして、第２膜濾過手段８で濾過された浄水は出口ポート２１から送り出され、第２合流流路２５と第１合流流路１８とを介して出口ポート１４から第１膜濾過手段７に流入する。その後、この第１膜濾過手段７に流入した浄水は、中空糸膜１１の二次側から水で満たされた一次側に向かって逆通水される。この逆通水により、さらなる中空糸膜１１表面の閉塞物質の除去が行われるとともに、再度中空糸膜１１に閉塞物質が付着するのを防止した状態でケース１０内に満たされた閉塞物質を含む逆洗済水が主原水供給流路２および排水流路９を介して系外に排出される。ここで、ケース１０内に残存する気泡なども逆洗済水と一緒に系外に排出されることとなり、この結果、膜洗浄運転が終了した後にろ過モードを行っても主浄水流路１９を介して送給される浄水に気泡が混入するのを抑制できる。【００４４】
制御部２７は、上述した各モードで構成される膜洗浄運転が終了した後、ろ過モードで制御を行い、このときの圧力計ｓ１による測定結果が膜洗浄運転の要否を判定するために予め設定された所定の圧力よりも高い場合、中空糸膜１１の膜洗浄が不十分であると判断して再度上述した膜洗浄運転を実施する。制御部２７は、膜洗浄運転を予め設定された所定の回数を実施したにもかかわらず膜洗浄運転が必要と判断された場合、浄水装置１に何らかの異常が発生したものと判定して膜洗浄運転の実施を停止する。また、上述した膜洗浄運転を開始する前に、制御部２７は、圧力計ｓ１の測定結果に基づいてファウリングの程度を判断して、このファウリングの程度に応じて実施する膜洗浄運転の回数を決定して、この回数分膜洗浄運転を実施する。なお、この際、前述したように、圧力を測定する以外に、ろ過モードにおける積算流量または累積時間を測定する測定手段（図示せず）を設け、この測定手段により得られるデータからファウリングの程度を予測し、実施する膜洗浄運転の回数を決定するようにしてもよい。【００４５】
ここで、ファウリングの程度が大きい場合には、膜洗浄運転の回数を２回以上とし、かつ、これらの膜洗浄運転について間に通常運転をはさむことなく連続して行うことが好ましい。これは、一定時間逆通水モードにおける逆通水を行った後に、一旦第２濾過手段からの浄水の供給を停止し、再度抜水モードに戻ることによって、水の流れに変化をもたらすことができるからである。この流れの変化は、膜に対し慣性力等の力が働くことにつながり、これによって、膜表面上の閉塞物質をより効率的に除去できることとなる。換言すれば、この好ましい方法は、洗浄各モードの運転時間を延長したものではなく、それよりも高い膜洗浄効果を奏するものである。【００４６】
したがって、上述した実施の形態によれば、第２膜濾過手段８から吐出された浄水を第１膜濾過手段７の中空糸膜１１の二次側から一次側に逆通水する逆通水モードを行う前に、抜液モードと排気逆通水モードとを行うことで、第１膜濾過手段７の中空糸膜１１の二次側が浄水、一次側が気体となる状態で逆通水を行うことが可能となるため、中空糸膜１１の全域で二次側と一次側との膜間差圧を大きくすることができ、この結果、逆通水による水の流れが中空糸膜１１の一部に集中するのを防止して中空糸膜１１の一次側に付着している閉塞物質を逆通水によって効率よく剥離除去することができる。【００４７】
また、中空糸膜１１の内側が膜の一次側に設定されている場合、逆通水によって一度剥離した物質が再度中空糸の内面に接触して付着する可能性が高くなるが、中空糸膜１１の外面を一次側に設定することで、剥離した閉塞物質が中空糸から速やかに離れるため、再度閉塞物質が中空糸に付着するのを防止することができる。【００４８】
さらに、主原水供給流路２の圧力が所定の圧力よりも高くなった場合、この圧力上昇の程度に応じて、すなわち第１膜濾過手段７の中空糸膜１１の一次側に付着している閉塞物質の程度に応じて、膜洗浄運転の回数を変化させることができるため、より確実に閉塞物質の除去を行うことができる。【００４９】
また、上述した実施の形態では、主原水供給流路２の圧力計ｓ１の測定結果に基づいて膜洗浄運転の開始判定を行ったり膜洗浄運転の実施回数を決定したりする場合について説明したが、主浄水流路１９の圧力計ｓ２で計測された圧力に基づいて行ってもよい。この場合、圧力計ｓ２で計測された圧力が予め設定された所定の圧力よりも低くなった場合に、ファウリングが進行していると推定することができる。
【図１】
2009008386.tif 000004
【図２】
2009008386.tif 000005
【図３】
2009008386.tif 000006
【図４】
2009008386.tif 000007
【図５】
2009008386.tif 000008
【国際調査報告】
2009008386.tif 000009
2009008386.tif 000010
2009008386.tif 000011
2009008386.tif 000012